(57)【要約】      （修正有）【課題】ビニール袋入りで納品された複雑に絡み合った状態の一塊のバネ群を、すべて一つづつに解きほぐして一方向に並べ、製品組立て工程において作業者が簡単にバネを指でつかめるようにするためのバネ分離・分配装置の提供。【解決手段】バネ群の自動小分け機構付供給装置を設け１回の投入量を上げ手間を省く。そして４つの分離筒１６，１７，１８他内を通過させる４連円筒式にしてバネ分離装置の完全分離率を高める。さらにバラバラに分離したバネを、突起付円盤を高速回転させ衝突の力を利用して分配ボックス２１内で躍らせ、その動きを利用して丸チューブ２４内に一列にバネを並べる。そして製品組立工程において一台の装置から複数の作業者にバネ供給出来、作業者は瞬時にチューブ先端から指先でバネをピックアップ出来るような、供給・分離・分配の３機能を１体型にする。【選択図】図８
2009096633.tif 000002
【特許請求の範囲】
【請求項１】
バネ製造会社から納入されたビニール袋入りの絡まりあった固まり状態のバネ群を、あらかじめ小さな固まり状に小分けするバネ供給装置。
【請求項２】
小さな固まり状のバネを、１個づつバラバラな状態に分離する４連円筒式のバネ分離装置。
【請求項３】
完全にバラバラな状態のバネを規則正しく一列に並べ、製品組立工程において、作業者が瞬時に１個づつ指でピックアップ出来るようにするための丸チューブ式のバネ分配装置。
【請求項４】
請求項１の小分けバネ供給装置、請求項２の４連円筒式バネ分離装置、請求項３の丸チューブ式バネ分配装置を連結して一体型にしたバネ分離・分配装置。
【請求項５】
バネ分離・分配装置で一列に並べられ一時的に丸チューブ内にストックされているバネを、デジタル写真画像プリント専用の熱転写シート用カセット組立工程において、この中の供給ボビンと巻き取りボビンに、作業者が直接指でピックアップする事無くバネを装填するバネカートリッジ。
【発明の詳細な説明】
【技術分野】
【０００１】  本発明は、バネ製造会社からビニール袋入りで納品され複雑に絡み合った状態の一固まりのバネ群を、全て１つづつバラバラに解きほぐして一定方向に並べ、製品組立工程において作業者が簡単にバネを指で摘めるようにするためのバネ分離・分配装置である。
【背景技術】
【０００２】  現在すでに、一つの円筒内で突起を設けた底面部を高速回転させ、一摘みの絡み合ったバネを円筒上部から入れて解すバネ分離器はある。また、従来からネジやバネ等の小さな部品を、組立工程上で１個づつ取りやすいように一列に並べるパーツフィーダーがある。
【特許文献】  上記の従来技術物件に関する特許出願の有無、及び特許文献の存在に関しては承知していない。
【発明の開示】
【発明が解決しようとする課題】
【０００３】  しかし、既存の単独分離筒方式のバネ分離器は、一摘みづつバネを何回も小分けにして装置に投入せねばならず、一回の処理能力が小さい事、解しきれずに排出される場合がある事、解されたバネは付属のトレイで受けるだけなので、バネの方向までは規制できないため１個づつ指でピックアップしにくいなどの問題がある。また汎用パーツフィーダーは小さな部品を一列に並べることは可能であるが、バネ専用ではないため実際に組立生産工程上で作業者が瞬時に指でピックアップするには一定の習熟を要する。
【課題を解決するための手段】
【０００４】  この課題を解決するため請求項１の発明は、バネ製造会社からビニール袋入りで納品され複雑に絡み合った状態のバネ群を、作業者がバネ分離装置にかける前に、あらかじめ少しずつ小分けにする作業を排除してそのまま投入できるようにする。供給ボックスに投入された一固まり状のバネ群が供給ボックス底面の供給口を塞いだり、バネ群の大きな固まりがいきなりバネ分離装置内に送られ装置を傷めることがないように、供給口付近に到達したバネ群を、自動的に小さな小分け状態にする機構を設け、バネ分離装置へ送り込むようにする。（図１参照）【０００５】  そして請求項２の発明は、解しきれずに排出されるバネの混入確率を大幅に下げ、１個づつ完全にバラバラな状態に分離できるようにする。そのために一繋がりの４つの円筒形分離筒を立てて並べた構成にする。４つの分離筒の底面部はそれぞれ三角錘状の突起を付けた円盤にし、この円盤部をモーターで高速回転させる事で三角錘状の突起部がバネの固まりに衝突し、さらに跳ね飛ばされて分離筒の内壁にぶつかる衝撃を利用してバネをバラバラにする仕組みにする。４つの分離筒の連結部には１→２→３→４の順番に小さな連絡穴を設ける。１番分離筒内で完全に分離しきれなかった小さなバネの固まりも、２番分離筒・３番分離筒という順序ではじき飛ばされながら連絡穴を通じて４番分離筒へ送られるまでの間に、次第に１個づつバラバラに分離され、最終的に４番分離筒の排出口から分配装置へ送られる構造にする。（図３参照）【０００６】  さらに請求項３の発明は、完全にバラバラになったバネを、製品組立工程において作業者が容易にかつ確実に１個づつ指先でピックアップ出来るようにする。分配ボックス底面の中央にはモーターにより回転する２つの突起が付いた円盤、その円盤周囲には放射状に複数の小さな分配口を配置する。この穴の下には丸チューブを取り付け垂れ下げた構成にする。分配ボックス内に送り込まれたバラバラになったバネは、円盤を高速回転させることではじき飛ばされ、そのはずみや振動で放射状に配置された分配口の中に落ちていく。分配口や丸チューブの内径をバネの直径より少しだけ大きく設定することで、バネは丸チューブ内に一列に落ちて並んでいく構造にする。（図５参照）【０００７】  請求項４の発明は、請求項１の小分けバネ供給装置、請求項２の４連円筒式バネ分離装置、請求項３の丸チューブ式バネ分配装置を連結し一体型にすることである。（図８参照）【０００８】  そして請求項５の発明は丸チューブ内に一列に順序良く並んだバネを、デジタル写真画像プリント専用の熱転写シート用カセットの組立工程において、この中の供給ボビンと巻き取りボビンに、作業者が直接指でピックアップすることなくバネを装填するための専用のバネカートリッジである。請求項４の一体型バネ分離・分配装置の丸チューブ先端にバネカートリッジ（親）を付けて一時的にこの中に一定数のバネをスットクしておき、繰り返しバネカートリッジ（子）内にバネを移し替える方式である。製品組立工程において一定の間隔で立てた供給ボビンと巻き取りボビンのシャフトに、バネカートリッジ（子）からそれぞれバネが１つづつ装填される構造にする。（図９参照）
【発明の効果】
【０００９】  一度に装置に投入できるバネの量が増え、あらかじめバネを小分けして少しずつ装置に投入する手間が不要になる。また完全にバネを分離しきれずに絡まったままで排出されるバネが混入する確率が劇的に下がる。さらに、バラバラに分離したバネを丸チューブ内に整然と一列に並べることで、製品組立工程において作業者の熟練度に関係なく指先で容易に１個づつバネをピックアップ出来る事で作業効率が向上する。また丸チューブの本数を複数にすることで、一台の装置から複数の作業者にバネを供給することが出来る。さらに、分配ボックス底面の分配口や丸チューブの直径を変えることで汎用性も確保される。
【実施例】
【００１０】  図２は請求項１の実施例である。ビニール袋入りの絡まりあった状態の一固まりのバネ群をバネ投入ボックス１に入れると、投入制御板２に導かれながらバネの自重で次第にバネ投入ボックス底面の供給口３に向かう。供給装置駆動ボックス４内のモーターを回転させ、小プーリー５・駆動ベルト６・大プーリー７を介して回転軸固定アングル８で保持した回転軸９を回し、回転軸に取り付けた供給板１０と詰り防止棒１１をゆっくりと回転させる。供給口付近に送られたバネ群をこれらの回転により徐々に小さな固まり状に小分けして供給口から排出する構造である。【００１１】  図４は請求項２の実施例である。モーターａ４４や電気回路を収めた分離装置駆動ボックス１２上に４つの円筒形の分離筒を立てて並べた構成である。４つの分離筒の底面部はそれぞれ２つの三角錘状の突起ａ１３を付けた円盤ａ１４になっている。これをモーターａで高速回転させる事で突起ａがバネの固まりに衝突し、さらに跳ね飛ばされて分離筒の内壁にぶつかる衝撃を利用してバネをバラバラにする仕組みである。４つの分離筒の連結部には１→２→３→４の順番に小さな連絡穴を設けている。穴の上下位置は１→２間の連絡穴ａ４０が分離筒上部、２→３間の連絡穴ｂ４１は分離筒中央部、３→４間の連絡穴ｃ４２は分離筒下部に設ける。送り込まれた小さなバネの固まりはまず１番分離筒１５内で分離される。１番分離筒内で完全に分離しきれなかった小さなバネの固まりも、２番分離筒１６、３番分離筒１７という順序ではじき飛ばされながら各連絡穴を通じて次第に４番分離筒１８へ送られるまでの間に、完全に１個づつバラバラに分離され、最終的に４番分離筒下部の排出口１９から排出される構造である。【００１２】  図６は請求項３の実施例である。円形で緩やかなすり鉢底の分配ボックス２１底面中央の円盤ｂ２２だけがモーターｂ４５により回転する構造で、この円盤ｂの上には２つの三角錐型の突起ｂ２６をつける。そしてこの円盤ｂの周囲には放射状に複数の小さな分配口２３を配置し、この穴の下には丸チューブ２４が取り付けられて下に垂れ下がった構造である。分配ボックス蓋２５の中央の穴から分配ボックス内に送り込まれたバラバラになったバネ４８は、分配ボックス底面の円盤ｂを高速回転させることで突起ｂにはじき飛ばされ、そのはずみや振動で放射状に配置された分配口の中に少しづつ入り込んでいく。分配口や丸チューブをバネの直径より少しだけ大きい内径とすることで、バネを丸チューブ内に落とし整然と一列に並べていく構造である。図７はチューブ最先端部の実施例である。チューブ内に並んだバネがそのままこぼれ落ちないよう、アタッチメント２７にストッパー２８を取り付け、バネを１つづつ容易に指先でピックアップ出来るようにする。【００１３】  図８は請求項４の実施例である。請求項１の小分けバネ供給装置、請求項２の４連円筒式バネ分離装置、請求項３の丸チューブ式バネ分配装置の３装置をメインフレーム３９を主体に一体型としたものである。この時、供給ボックス１底面の供給口３は、その下の分離装置１番分離筒１５の真上になるよう配置する。また分離装置の４番分離筒１８の排出口１９には連絡管２０を取り付け、分配ボックス蓋２５���心部の穴とを結びバラバラになったバネを下の分配ボックス２１内に送り込むようにする。このバネ分離・分配装置本体は、製品組立工程においては工場の天井から金属アングル等で吊り下げて固定する方式が望ましい。ここから垂れ下がった丸チューブ２４は、長さ調節してその下付近にいる作業者の手元へ導かれ、丸チューブ先端のアッタチメント２７部分を専用アングルで斜め下向きに固定し、作業者が容易にバネを１個づつピックアップできる様にして使用する。複数の丸チュ−ブを取り付ける事で一台のバネ分離・分配装置から、同時に複数の作業者の手元へバネを供給することが可能となる。【００１４】  図１０・図１１は請求項５の実施例である。デジタル写真画像プリント専用の熱転写シート用カセットの組立工程において、この中の主部品である供給ボビン２９と巻き取りボビン３０のシャフト４７部分に、作業者が直接指で摘むことなくバネ４８を装填する専用のバネカートリッジである。丸チューブ２４の先端にアタッチメント２７を取り付ける代わりに、バネカートリッジ（親）３１のパイプａ３３を差し込み、挿入口ａ３４にバネカートリッジ（子）３２のパイプｂ３５を挿入すると、内蔵の板バネａ３６の押さえが解除されバネカートリッジ（子）内にバネ列が移動する。図１１のように供給ボビンと巻き取りボビンのシャフト部分にバネカートリッジ（子）の挿入口ｂ３７を合わせて乗せ、図中左側矢印の様に下に押し付けるとバネカートリッジ（子）内の板バネｂ３８の押さえが解除され、一回の動作で二つのボビンにバネ１個づつが装填される。バネカートリッジ（親）・（子）の内部は、組立作業工程において、あらかじめバネ列と同間隔で立てて準備した供給ボビンと巻き取りボビンの立て間隔に合わせ、同じ間隔で二列のバネがストックされる構造である。また、バネカートリッジ（親）とバネカートリッジ（子）は基本的に同一の物である。
【産業上の利用の可能性】
【００１５】  本発明に係るバネ分離・分配装置は、工業的に量産する事が可能であるため、産業上の利用の可能性を有する。
【図面の簡単な説明】
【００１６】
【図１】  請求項１のバネ供給装置の斜視図である。
【図２】  請求項１のバネ供給装置の断面斜視図である。
【図３】  請求項２のバネ分離装置の斜視図である。
【図４】  請求項２のバネ分離装置の断面斜視図である。
【図５】  請求項３のバネ分配装置の斜視図である。図は分配ボックス蓋をとった状態である。
【図６】  請求項３のバネ分配装置本体部分の断面斜視図である。
【図７】  請求項３の丸チューブ先端の斜視図である。
【図８】  請求項４のバネ分離・分配装置の完成斜視図である。
【図９】  請求項５のバネカートリッジ斜視図である。連結時の状態で下のバネカートリッジ（子）はカバーを外した状態である。
【図１０】  請求項５のバネカートリッジ斜視図である。非連結時の状態で上のバネカートリッジ（親）下のバネカートリッジ（子）はカバーを外した状態である。
【図１１】  請求項５の正面図である。図は製品組立工程で巻き取りボビンと供給ボビンのシャフト部分にバネカートリッジ（子）からバネを装填する際の作業説明図である。
【符号の説明】
【００１７】１  バネ投入ボックス    ２  投入制御板    ３  供給口    ４  供給装置駆動ボックス    ５  小プーリー    ６  駆動ベルト    ７  大プーリー    ８  回転軸固定アングル    ９  回転軸    １０  供給板    １１  詰り防止棒    １２  分離装置駆動ボックス    １３  突起ａ    １４  円盤ａ    １５  １番分離筒    １６  ２番分離筒    １７  ３番分離筒    １８  ４番分離筒    １９  排出口    ２０  連絡管    ２１  分配ボックス    ２２  円盤ｂ    ２３  分配口    ２４  丸チューブ    ２５  分配ボックス蓋    ２６  突起ｂ    ２７  アタッチメント    ２８  ストッパー    ２９  供給ボビン    ３０  巻き取りボビン    ３１  バネカートリッジ（親）    ３２  バネカートリッジ（子）    ３３  パイプａ    ３４  挿入口ａ    ３５  パイプｂ    ３６  板バネａ    ３７  挿入口ｂ    ３８  板バネｂ３９  メインフレーム    ４０  連絡穴ａ    ４１  連絡穴ｂ    ４２  連絡穴ｃ    ４３  分配装置駆動ボックス    ４４  モーターａ    ４５  モーターｂ    ４６  分配装置固定フレーム    ４７  シャフト    ４８  バネ
【図１】
2009096633.tif 000003
【図２】
2009096633.tif 000004
【図３】
2009096633.tif 000005
【図４】
2009096633.tif 000006
【図５】
2009096633.tif 000007
【図６】
2009096633.tif 000008
【図７】
2009096633.tif 000009
【図８】
2009096633.tif 000010
【図９】
2009096633.tif 000011
【図１０】
2009096633.tif 000012
【図１１】
2009096633.tif 000013